(57)【特許請求の範囲】
【請求項１】
ヒューズ接続用の端子を挿入する端子収容室を有するボックス本体と、該ボックス本体に覆設するロアカバーとを備えるヒューズボックスにおいて、該端子収容室の入口を露呈させる切欠部をボックス本体に形成し、該切欠部を閉塞する壁部を前記ロアカバーに設け、該切欠部に続く端子挿入方向の進入空間を前記ボックス本体に形成し、該進入空間に進入係合する保護壁を該壁部に一体に延長形成し、該切欠部内において該切欠部の垂直な奥壁の下端から該進入空間の下端の入口まで連続して傾斜状のガイドリブを複数並列に設けたことを特徴とするヒューズボックス。
【請求項２】
前記ガイドリブに対向して前記切欠部の前部開口上の垂直壁部に、該ガイドリブとは逆方向に傾斜して前記進入空間の下端の入口まで延びる補助ガイドリブを設けたことを特徴とする請求項１記載のヒューズボックス。
【請求項３】
前記保護壁の先端部に摺接用の傾斜面を形成したことを特徴とする請求項１又は２記載のヒューズボックス。
【請求項４】
前記保護壁とは反対側において、前記ボックス本体に対するガイド壁を該保護壁よりも高く突出して前記ロアカバーに設けたことを特徴とする請求項１〜３の何れかに記載のヒューズボックス。
【発明の詳細な説明】
【０００１】
【発明の属する技術分野】
本発明は、ボックス本体内への端子の挿入性及びボックス本体へのロアカバーの組付性を向上させたヒューズボックスに関するものである。
【０００２】
【従来の技術】
図７は、特開平６−４６５１９号公報の従来例として記載されたヒューズボックスを示すものである。
このヒューズボックス８１は、合成樹脂製のボックス本体８２内に雌型の負荷側端子８３と電源側のジョイント端子８４とを対向して配設し、ヒューズ８５の各雄端子８６を両端子８３，８４に接続させるものである。ヒューズ収容部８７の隣には電源用のヒュージブルリンク８８が装着される。
【０００３】
しかしながら、このヒューズボックス８１にあっては、負荷側端子８３に接続された電線８９が細径であると共に、奥まった場所に端子８３，８４を挿入しなければならないために、電線８９を把持して端子８３をボックス本体８２内に挿入係止させる作業を行い難いという問題があった。
【０００４】
そこで、本出願人は同公報において、図８に示すヒューズボックスを提案している。
このヒューズボックス９１は、ボックス本体９２と、ボックス本体９２内に挿着される端子収納ブロック９３と、ボックス本体９２の外側から端子収納ブロック９３内に挿入される端子二重係止部材９４とを備えたものである。各部材９２，９３，９４は合成樹脂で形成されている。
【０００５】
端子収納ブロック９３に負荷側端子９５が予め収容され、次いで端子収納ブロック９３がボックス本体９２内に挿着される。これにより、負荷側端子９５がボックス本体９２内に容易に配設される。端子係止部材９４は三枚の各ブレード９６で負荷側端子９５と電源側のジョイント端子９７と図示しない端子係止ランスとに係合し、各端子９５，９７の抜けを防止する。
【０００６】
しかしながら、このヒューズボックス９１においては、端子収納ブロック９３がボックス本体９２とは別体になっているため、端子９５の挿入作業性は優れるものの、端子収納ブロック９３の部品コストや組付コストが高くなるという問題があった。
【０００７】
また、ボックス本体９２に端子収納ブロック９５を収納する大きな空間を設けるために、ボックス本体９２の剛性が低下して強度が落ちると共に、樹脂成形の際にヒケ等による変形を起こしやすいという懸念があった。図９の如くボックス本体９２が変形９８を起こした場合には、端子収納ブロック９３の装着位置がずれて、ジョイント端子９７側の収容室９９と負荷側端子９５側の収容室１００とがピッチずれを起こすという懸念があった。
【０００８】
一方、図１０は、実開平４−２３０４８号公報に記載されたヒューズボックスを示すものである。
このヒューズボックス１０１は、ボックス本体１０２にヒュージブルリンク１０３を装着し、電線１０４に接続した丸形端子１０５をヒュージブルリンク１０３の端子１０６にボルト１０７で締付接続し、合成樹脂製のロアカバー１０８をボックス本体１０２に係合させ、電線１０４をロアカバー１０８から導出させるものである。
【０００９】
ボックス本体１０２にはボルト挿通用の開口１０９が設けられ、ロアカバー１０８には、開口１０９を塞ぐ一対のスライド板１１０が立設されている。スライド板１１０は開口１０９の両側のガイドレール１１１にスライド係合する。
【００１０】
しかしながら、このヒューズボックス１０１にあっては、ロアカバー１０８の樹脂成形の際に、スライド板１１０が内側に倒れ変形することがあり、その場合にはロアカバー１０８の装着作業性が悪くなるという問題があった。
【００１１】
【発明が解決しようとする課題】
本発明は、上記した各ヒューズボックスの問題点に鑑み、コストを上げることなく、負荷側端子をボックス本体に容易に組み付けでき、また、ロアカバーが倒れ変形してもボックス本体に容易に装着でき、全体として組付作業性を向上させ得るヒューズボックスを提供することを目的とする。
【００１２】
【課題を解決するための手段】
上記目的を達成するために、本発明は、ヒューズ接続用の端子を挿入する端子収容室を有するボックス本体と、該ボックス本体に覆設するロアカバーとを備えるヒューズボックスにおいて、該端子収容室の入口を露呈させる切欠部をボックス本体に形成し、該切欠部を閉塞する壁部を前記ロアカバーに設け、該切欠部に続く端子挿入方向の進入空間を前記ボックス本体に形成し、該進入空間に進入係合する保護壁を該壁部に一体に延長形成し、該切欠部内において該切欠部の垂直な奥壁の下端から該進入空間の下端の入口まで連続して傾斜状のガイドリブを複数並列に設けたことを特徴とする（請求項１）。
前記ガイドリブに対向して前記切欠部の前部開口上の垂直壁部に、該ガイドリブとは逆方向に傾斜して前記進入空間の下端の入口まで延びる補助ガイドリブを設けたことも有効である（請求項２）。
また、前記保護壁の先端部に摺接用の傾斜面を形成したことも有効である（請求項３）。
さらに、前記保護壁とは反対側において、前記ボックス本体に対するガイド壁を該保護壁よりも高く突出して前記ロアカバーに設けたことも有効である（請求項４）。
【００１３】
【発明の実施の形態】
以下に本発明の実施の形態の具体例を図面を用いて詳細に説明する。
図１〜図３は、本発明に係るヒューズボックスの一実施例を示すものである。
【００１４】
このヒューズボックス１は、図１の如く合成樹脂製のボックス本体２と、ボックス本体２の前半部に下方から挿着される複数の負荷側端子３及び各負荷側端子３に対向して挿着される電源側の雌−雌端子４と、雌−雌端子４に接続するジョイント用のバスバー５と、各端子３，４を係止する合成樹脂製の二重係止部材６と、ボックス本体２の後半部に挿着される図示しないヒュージブルリンク接続端子を係止する合成樹脂製のリヤホルダ７と、ボックス本体２の下側に装着される合成樹脂製のロアカバー８と、ボックス本体２の上側に装着される合成樹脂製のアッパカバー９とで構成される。
【００１５】
ボックス本体２には、図２にも示す如く、ヒューズ挿着部１０を含む前半部の下側部分に、負荷側端子３を容易に挿着させるための切欠部（切欠空間）１１が形成されている。切欠部１１は、ボックス本体２の前側１２及び底側１３を矩形状に連続切欠して成る。切欠空間１１は、図３の如く負荷側端子３用の端子収容室１４の下部開口（入口）１５に続いている。端子収容室１４内の負荷側端子３の電線圧着部１６の直下、すなわち端子収容室１４の入口１５の直下に切欠空間１１が位置している。
【００１６】
これにより、細物電線１７を圧着接続した負荷側端子３を、丁度通常のコネクタハウジング（図示せず）に挿入するように、電線１７を把持して容易に作業性良く端子収容室１４に挿入することができる。そして、従来のような別体の端子収納ブロックを必要としない。端子３の挿入は自動機でも手作業でも可能である。負荷側端子３はボックス本体２の外側寄りに位置する。
【００１７】
切欠空間１１は図２，図３の如くロアカバー８を被せることで前部開口１８が封鎖され、防水や防塵が図られる。これについては後で詳しく説明する。
【００１８】
負荷側端子３は図１の如くヒューズ１９の一方の雄端子２０に対する雌型のばね性の電気接触部２２を有している。また、前記雌−雌端子４は、バスバー５の雄端子２３に対する雌型の電気接触部２４と、ヒューズ１９の他方の雄端子２１に対する雌型の電気接触部２５とを有している。バスバー５は複数の並列な雄端子２３と、図示しない電源用ヒュージブルリンクに対する接続部２６とを有している。
【００１９】
雌−雌端子４はバスバー５の雄端子２３に接続された状態で、図３の如くボックス本体２の垂直な端子区画壁すなわち切欠空間１１の奥壁２７の内側に沿って端子収容室２８に挿入される。バスバー５は、図２のガイドスリット２９に沿って容易且つ確実に挿入される。ガイドスリット２９は端子収容室２８（図３）まで続いている。雌−雌端子４をバスバー５と一体で挿入することにより、雌−雌端子４の挿入作業性が向上する。
【００２０】
負荷側端子用の収容室１４と雌−雌端子用の収容室２８とはボックス本体２に一体に且つ背中合わせに形成されている。各端子収容室１４，２８の上端部にはストッパ３０が形成され、上側にヒューズ挿着部１０が続いている。また、奥壁２７の上部には、各端子３，４に対する一対の可撓係止ランス３１が対向して設けられている。一対の係止ランス３１の間に前記端子係止部材６の上側の係止板３２が挿入される。下側の各係止板３３は各端子３，４の電気接触部２２，２５の後段部を係止する。ボックス本体２の後半部（ハッチング部分）には、ヒュージブルリンク３４に対する接続端子（図示せず）が挿着される。
【００２１】
図２の如くボックス本体２の切欠空間１１の前部開口１８の上部には短い垂直壁部３５が垂下形成され、垂直壁部３５の上側の段部３６に続く外壁部３７の内側に、ロアカバー８に対する進入空間（進入孔）３８が形成されている。この進入空間３８は、ボックス本体２の樹脂成形時のひけ防止用の肉抜き孔を兼ねている。この進入空間３８は切欠空間１１から端子挿入方向に延長形成され、端子収容室１４（図３）の外壁３９に対向して位置し、外壁３９は進入空間３８の下端まで延びている。
【００２２】
ロアカバー８には、進入空間３８に進入する保護壁４０が前壁４１の上部に垂直に延設されている。保護壁４０はロアカバー８の他方の側壁４２よりも高く突出している。保護壁４０の先端部には外向きのテーパ状傾斜面４３が形成されている。保護壁４０の外側下部には短い係合リブ４４が設けられ、図３の如く保護壁４０が進入空間３８内に挿入された状態で、係合リブ４４が垂直壁部３５の内側に係合し、保護壁４０を進入空間３８の後壁４５に押し付けて密着させる。それと同時に、ロアカバー８の前壁４１から外側に鍔状に突出した水平壁部４６に垂直壁部３５の下端が当接密着する。
【００２３】
ボックス本体２の切欠空間１１は、保護壁４０を含むロアカバー８の前壁４１で塞がれて保護される。万一、水や塵が垂直壁部３５と水平壁部４６との間から浸入した場合でも、保護壁４０が高くそびえ立っているから、ボックス本体２内の切欠空間１１までの浸入距離が長くなり、水や塵が容易に切欠空間１１内に入ることはない。
【００２４】
ロアカバー８の後壁４２には、図示しない車両ボディ等の取付ブラケットに対するロックアーム４７を有するスライド係合部４８が設けられている。また、ロックアーム４７の上側において、図１の如く切欠孔４９が設けられ、切欠孔４９の両側にスライドガイド５０が構成され、切欠孔４９に対向して外側にフード部５１が形成されている。フード部５１の係止突起５２に対する係合部（図示せず）をボックス本体２側に設けることも可能である。図２の如くボックス本体２の後壁５３には、スライドガイド５０に対して例えば横断面略Ｌ字状の一対のスライド係合部５４が突設されている。
【００２５】
図３の如くボックス本体２の底部はロアカバー内側の段部５４に当接し、ロアカバー８の内側壁５５の上端部５６は溝５７内に係合して位置決めされる。また、図１の如くロアカバー８の側部には、ボックス本体２の係止突起５８に対する係合枠片５９が設けられている。ロアカバー８が装着された後、アッパカバー９が覆設される。
【００２６】
図４〜図６は、本発明に係るヒューズボックスの第二実施例を示すものである。図４においてボックス本体６２とロアカバー６３以外の構成は前例（図１）と同様であるので図示を省略し、同一構成物については同一符号を付した。
【００２７】
このヒューズボックス６４は、図４の如く合成樹脂製のボックス本体６２の切欠部（切欠空間）１１内に、合成樹脂製のロアカバー６３の前壁４１側の保護壁４０に対するテーパ状のガイドリブ６５を設けて、保護壁４０の挿入性を向上させると共に、ロアカバー６３の後壁外側のフード部７５を後壁４２及び保護壁４０よりも高く延長させて、保護壁挿入前に、ボックス本体６２に対するロアカバー６３の位置決めを可能としたものである。
【００２８】
ガイドリブ６５は切欠空間１１の奥壁２７に複数並列に配設され、図５の如く奥壁２７の下端から切欠空間１１の上側の進入空間３８の下端（入口３８ａ）にかけてテーパ状に傾斜したガイド傾斜面６６を有している。各ガイドリブ６５は負荷側端子３の挿入の邪魔にならないように、例えば端子収容室１４（図６）の側部隔壁と同一線上に配設されている。
【００２９】
この構成により、例え図５(a) の如くロアカバー６３の前壁４１が樹脂成形時に内側に倒れ込みを起こしている場合でも、保護壁４０の先端がガイドリブ６５の傾斜面６６に沿って移動し、図５(b) 〜図６の如く進入空間３８にスムーズに案内される。ガイドリブ６５がないと、鎖線イで示す如く保護壁４０の先端が切欠空間１１の上壁６７に当接してしまい、ロアカバー６３をスムーズに装着することができない。
【００３０】
また、保護壁４０の先端部外側にはテーパ状の傾斜面４３が形成され、ボックス本体６２の切欠部１１上の垂直壁部３５の内側には、傾斜面４３に対するテーパ状の傾斜ガイド面６９を有する小さな補助ガイドリブ６８が設けられている。傾斜ガイド面６９は垂直壁部３５の下端から進入空間３８の下端（入口３８ａ）まで延びている。進入空間３８の入口３８ａに対して前記ガイドリブ６５は後側に位置し、補助ガイドリブ６８は前側に位置し、両ガイドリブ６５，６８は対向している。
【００３１】
ガイドリブ６５に沿って案内された保護壁４０の先端部は、補助ガイドリブ６８に傾斜面４３を沿わせて進入空間３８に案内される。あるいは、ロアカバー６３の樹脂成形時に前壁４１が外側に倒れを生じた場合に、保護壁先端の傾斜面４３が前側の補助ガイドリブ６８に摺接してスムーズに進入空間３８に案内される。
【００３２】
一方、図４においてロアカバー６３の後壁側のフード部７５は、後壁４２よりも高く突出した傾斜状のガイド壁７０を含んでいる。ガイド壁７０は、後壁４２に対向した傾斜壁７１（図５）を上側に延長して構成される。傾斜壁７１の一側はロアカバー６３の側壁７２に続き、側壁７２から上方にガイド側壁７３が延長されて、ガイド壁７０の一側部を構成している。ガイド壁７０の他側にも平行なガイド側壁７４が形成されている。図５の如くガイド壁７０及びガイド側壁７３，７４は共に前記保護壁４０よりも高く突出している。
【００３３】
前例同様に、フード部７５に対向して後壁４２に切欠孔４９（図１）が設けられ、切欠孔４９の両側にスライドガイド５０が構成されている。ボックス本体６２の後壁５３（図５）には、スライドガイド５０に対して例えば一対のスライド係合部５４が突設されている。
【００３４】
そして、図５(a) において保護壁４０の先端がガイドリブ６５に接する前に、ガイド壁７０の先端がスライド係合部５４の先端を拾ってガイド壁７０内に案内する。ガイド壁７０とスライド係合部５４とが接することで、後壁４２側の位置決め、すなわちロアカバー６３に対するボックス本体６２の前後方向の位置決めが行われる。それにより、前壁４１側の保護壁４０とガイドリブ６５とが位置合わせされ、両者４０，６５の摺接がスムーズに行われる。
【００３５】
それにより、図６の如くボックス本体６２とロアカバー６３とがスムーズ且つ確実に接合する。アッパカバー９やボックス本体６２内の負荷側端子３や雌−雌端子４、バスバー５、端子係止部材６等の構成は前例と同様である。なお、ガイド壁７０を、ガイドリブのない前例（図１）のヒューズホルダ１に適用することも有効である。
【００３６】
【発明の効果】
以上の如くに、請求項１記載の発明によれば、端子を切欠部から端子収容室に直接挿入することができるから、端子挿入時の作業性が向上し、従来のような別体の端子収納ブロックを用いる必要がなく、部品コストが削減されると共に端子相互の位置ずれやボックス本体の強度低下が起こらない。また、保護壁が進入空間内に深く進入して、外部から切欠部内への水滴や塵等の進入経路が長くなるから、防水・防塵性が向上する。また、成形時に保護壁が内側に倒れ変形した場合でも、保護壁がガイドリブに沿って進入空間に導かれ、ロアカバーの装着がスムーズ且つ確実に行われる。また、請求項２記載の発明によれば、保護壁が外側に倒れ変形した場合でも、保護壁が補助ガイドリブに沿って進入空間に導かれる。また、請求項３記載の発明によれば、保護壁の傾斜面がガイドリブないし補助ガイドリブにスムーズに摺接することで、請求項１，２における進入空間への保護壁の係合が一層スムーズに行われる。また、請求項４記載の発明によれば、保護壁が進入空間内に挿入される前、あるいはガイドリブに接する前に、ボックス本体がガイド壁に拾われてロアカバーに位置決めされるから、進入空間やガイドリブに対する保護壁の位置合わせが簡単且つ確実に行われ、ロアカバーの装着作業性が向上する。
【図面の簡単な説明】
【図１】本発明に係るヒューズボックスの一実施例を示す分解斜視図である。
【図２】ボックス本体にロアカバーを装着する状態を示す縦断面図である。
【図３】ヒューズボックスの組立状態を示す縦断面図である。
【図４】ヒューズボックスの他の実施例を示す分解斜視図である。
【図５】  (a)(b)はロアカバー変形時におけるボックス本体への装着状態を示す縦断面図である。
【図６】ヒューズボックスの組立状態を示す縦断面図である。
【図７】一従来例を示す分解斜視図である。
【図８】他の従来例を示す分解斜視図である。
【図９】従来の一問題点を示す平面図である。
【図１０】従来のその他の実施例を示す分解斜視図である。
【符号の説明】
１，６４  ヒューズボックス
２，６２  ボックス本体
３        負荷側端子
８，６３  ロアカバー
１１      切欠部
１４      端子収容室
１５      入口
１９      ヒューズ
３５      垂直壁部
３８      進入空間
４０      保護壁
４１      前壁（壁部）
４３      傾斜面
６５      ガイドリブ
６８      補助ガイドリブ
７０      ガイド壁
【図１】
0003781325.tif 000002
【図２】
0003781325.tif 000003
【図３】
0003781325.tif 000004
【図４】
0003781325.tif 000005
【図５】
0003781325.tif 000006
【図６】
0003781325.tif 000007
【図７】
0003781325.tif 000008
【図８】
0003781325.tif 000009
【図９】
0003781325.tif 000010
【図１０】
0003781325.tif 000011